(57)【要約】【課題】固定部を浴室側から隠蔽することができる浴室空調装置を提供することを目的とする。【解決手段】天井に設けられた竜骨に取り付けられた複数のパネルによって形成される開口に配置される浴室空調装置であって、本体ケーシングと、前記本体ケーシングの下方に取り付けられるグリルと、前記グリルを前記本体ケーシングに固定する固定部と、を備え、前記グリルの下面は、前記複数のパネルの下面と面一、または、前記複数のパネルの下面よりも上方に位置し、前記固定部は、前記複数のパネルの下面よりも上方に位置し、前記複数のパネルに隠蔽されることを特徴とする浴室空調装置が提供される。【選択図】図１
2018119768.tif 000002
【特許請求の範囲】
【請求項１】
天井に設けられた竜骨に取り付けられた複数のパネルによって形成される開口に配置される浴室空調装置であって、
本体ケーシングと、
前記本体ケーシングの下方に取り付けられるグリルと、
前記グリルを前記本体ケーシングに固定する固定部と、
を備え、
前記グリルの下面は、前記複数のパネルの下面と面一、または、前記複数のパネルの下面よりも上方に位置し、
前記固定部は、前記複数のパネルの下面よりも上方に位置し、前記複数のパネルに隠蔽されることを特徴とする浴室空調装置。
【請求項２】
前記固定部は、ネジであり、
前記グリル及び前記本体ケーシングには、前記固定部が挿入される固定穴が設けられ、
前記固定部が前記固定穴に挿入される方向に沿って見たときに、前記固定部の頭部の少なくとも一部は、前記複数のパネルの一部と重なることを特徴とする請求項１記載の浴室空調装置。
【請求項３】
前記固定部が固定された状態において、前記頭部と前記複数のパネルとの間の距離は、前記固定部の着脱に要するストロークよりも短いことを特徴とする請求項２記載の浴室空調装置。
【請求項４】
前記固定部が固定された前記状態において、前記固定部の頭部から先端へ向かう方向は、前記本体ケーシングの外周側から内部側へ向かい、かつ、上方へ向かう方向であることを特徴とする請求項３に記載の浴室空調装置。
【請求項５】
前記固定部は、前記竜骨が延びる方向と交差する方向に沿って延びる、前記グリルの側面に設けられることを特徴とする請求項１〜４のいずれか１つに記載の浴室空調装置。
【請求項６】
前記グリルは、前記グリルを前記本体ケーシングに仮固定する仮固定部を有することを特徴とする請求項５記載の浴室空調装置。
【請求項７】
前記グリルは、前記グリルを軸支する回動部を有し、
前記回動部は、前記グリルの中央から見たときに前記固定部及び前記仮固定部とは反対側に設けられ、
前記グリルが仮固定された状態において、前記グリルと前記開口の縁との間に隙間が形成されることを特徴とする請求項６記載の浴室空調装置。
【発明の詳細な説明】
【技術分野】
【０００１】
本発明の態様は、一般的に、浴室空調装置に関する。
【背景技術】
【０００２】
従来、複数のパネルが取り付けられる竜骨が設けられた浴室の天井、及び、このような天井に設けられる浴室空調装置が知られている。  
このような浴室空調装置は、例えば、空調機能を内蔵する本体ケーシングと、本体ケーシングの下方に取り付けられるグリルと、を有する。本体ケーシングとグリルとは、ネジなどの固定部によって互いに固定される。
【０００３】
浴室空調装置等の機器において、上述のような固定部は、例えばフレームやキャップなどの別部材によって隠蔽される。これにより意匠性を向上させることができる。
【先行技術文献】
【特許文献】
【０００４】
【特許文献１】中国実用新案第２０２４４２４４２号明細書
【特許文献２】中国実用新案第２８００１５７号明細書
【特許文献３】特開２００９−７９８６７号公報
【発明の概要】
【発明が解決しようとする課題】
【０００５】
ネジ等の固定部を隠蔽するために別部材を設けると、製造のコストが増加してしまう懸念がある。また、固定部が浴室側に露出していると、湿気による劣化（例えば錆）が生じてしまうといった懸念もある。
【０００６】
本発明は、かかる課題の認識に基づいてなされたものであり、固定部を浴室側から隠蔽することができる浴室空調装置を提供することを目的とする。
【課題を解決するための手段】
【０００７】
第１の発明は、天井に設けられた竜骨に取り付けられた複数のパネルによって形成される開口に配置される浴室空調装置であって、本体ケーシングと、前記本体ケーシングの下方に取り付けられるグリルと、前記グリルを前記本体ケーシングに固定する固定部と、を備え、前記グリルの下面は、前記複数のパネルの下面と面一、または、前記複数のパネルの下面よりも上方に位置し、前記固定部は、前記複数のパネルの下面よりも上方に位置し、前記複数のパネルに隠蔽されることを特徴とする浴室空調装置である。
【０００８】
この浴室空調装置によれば、固定部は、隠蔽されているため、湿気空間にさらされない。これにより、湿気による固定部の劣化を確実に抑制しつつ意匠性を向上させることができる。また、固定部を隠蔽するためのキャップ等の部材を別に設けなくてもよいため、施工が容易であり、コストを低減することができる。さらに、キャップが浴室に落下したり、キャップを紛失することもないため、経年的に意匠性が損なわれる心配もない。
【０００９】
第２の発明は、第１の発明において、前記固定部は、ネジであり、前記グリル及び前記本体ケーシングには、前記固定部が挿入される固定穴が設けられ、前記固定部が前記固定穴に挿入される方向に沿って見たときに、前記固定部の頭部の少なくとも一部は、前記複数のパネルの一部と重なることを特徴とする浴室空調装置である。
【００１０】
この浴室空調装置によれば、固定穴は浴室側を向く。これにより、施工者は、固定部を取り付ける際、固定穴を視認しやすく、固定部をより容易に取り付けることができる。
【００１１】
第３の発明は、第２の発明において、前記固定部が固定された状態において、前記頭部と前記複数のパネルとの間の距離は、前記固定部の着脱に要するストロークよりも短いことを特徴とする浴室空調装置である。
【００１２】
この浴室空調装置によれば、固定部が固定穴から抜け落ちてしまうことを抑制することができる。
【００１３】
第４の発明は、第３の発明において、前記固定部が固定された前記状態において、前記固定部の頭部から先端へ向かう方向は、前記本体ケーシングの外周側から内部側へ向かい、かつ、上方へ向かう方向であることを特徴とする浴室空調装置である。
【００１４】
この浴室空調装置によれば、固定部は、上方に傾斜した状態で固定されるため、浴室側から固定部を固定しやすい。そのため、施工性を向上させることができる。
【００１５】
第５の発明は、第１〜第４のいずれか１つの発明において、前記固定部は、前記竜骨が延びる方向と交差する方向に沿って延びる、前記グリルの側面に設けられることを特徴とする浴室空調装置である。
【００１６】
この浴室空調装置によれば、固定部を用いて本体ケーシングにグリルを取り付ける際、竜骨が邪魔にならないため、施工性を向上させることができる。
【００１７】
第６の発明は、第５の発明において、前記グリルは、前記グリルを前記本体ケーシングに仮固定する仮固定部を有することを特徴とする浴室空調装置である。
【００１８】
この浴室空調装置によれば、固定部を固定する際に、施工者は、仮固定部によりグリルを仮固定することができるため、グリルを所定の位置に支持しなくてもよい。そのため、施工性を向上させることができる。
【００１９】
第７の発明は、第６の発明において、前記グリルは、前記グリルを軸支する回動部を有し、前記回動部は、前記グリルの中央から見たときに前記固定部及び前記仮固定部とは反対側に設けられ、前記グリルが仮固定された状態において、前記グリルと前記開口の縁との間に隙間が形成されることを特徴とする浴室空調装置である。
【００２０】
この浴室空調装置によれば、グリルが仮固定された状態において、複数のパネルによって形成される開口の縁とグリルとの間の隙間によって、施工者は、グリルが固定部によって固定されているか仮固定の状態であるか、を容易に視認することができる。
【発明の効果】
【００２１】
本発明の態様によれば、固定部を浴室側から隠蔽することができる浴室空調装置が提供される。
【図面の簡単な説明】
【００２２】
【図１】実施形態に係る浴室空調装置を例示する斜視図である。
【図２】実施形態に係る浴室空調装置を例示する平面図である。
【図３】竜骨及びパネルを例示する断面図である。
【図４】実施形態に係る浴室空調装置を例示する断面図である。
【図５】実施形態に係る浴室空調装置のグリルを例示する斜視図である。
【図６】実施形態に係る浴室空調装置の本体ケーシングを例示する斜視図である。
【図７】図７（ａ）及び図７（ｂ）は、実施形態に係る浴室空調装置を例示する斜視図である。
【図８】実施形態に係る浴室空調装置の一部を例示する断面図である。
【図９】実施形態に係る浴室空調装置を例示する側面図である。
【図１０】実施形態に係る浴室空調装置の一部を例示する側面図である。
【図１１】実施形態に係る浴室空調装置を例示する斜視図である。
【図１２】図１２（ａ）及び図１２（ｂ）は、実施形態に係る浴室空調装置を例示する側面図である。
【発明を実施するための形態】
【００２３】
以下、本発明の実施の形態について図面を参照しつつ説明する。なお、各図面中、同様の構成要素には同一の符号を付して詳細な説明は適宜省略する。  
図１は、実施形態に係る浴室空調装置を例示する斜視図である。  
図２は、実施形態に係る浴室空調装置を例示する平面図である。  
図２は、図１に示す浴室空調装置を上方から見た状態に対応する。  
図１及び図２に示すように実施形態に係る浴室空調装置１００は、空調機能を内蔵する本体ケーシング１０と、本体ケーシング１０の下方に取り付けられるグリル２０と、を有する。  
また、この例では、浴室空調装置１００は、固定金具３０と、固定部材３５（図２参照）と、をさらに有する。実施形態に係る浴室空調装置１００は、固定金具３０等によって浴室ＢＲの天井Ｆ１に設置される。
【００２４】
浴室の天井Ｆ１には、竜骨４５が設けられる。竜骨４５は、略水平な方向ＤＬに延びるフレーム（骨組みとなる部材）である。この例では、２本の竜骨４５が略平行に設けられている。竜骨４５は、例えば、ボルトなどによって建物（スラブ等）に対して固定される。竜骨４５には、複数のパネル４０が取り付けられる。
【００２５】
なお、本願明細書の説明において、グリル２０から本体ケーシング１０へ向かう方向を「上方」とし、「上方」と反対の方向を「下方」としている。「上方」は、浴室空調装置１００が設置された浴室ＢＲの内部から、当該浴室ＢＲの天井Ｆ１に設置された浴室空調装置１００へ向かう方向に対応する。
【００２６】
図３は、竜骨及びパネルを例示する断面図である。  
この断面は、図１に示すＳ１−Ｓ１線に対応する。  
パネル４０は、略矩形の板状部４１と、板状部４１の４辺から上方に屈曲した屈曲部４２と、を有する。パネル４０の大きさは、例えば３００ミリメートル（ｍｍ）四方である。図３に示すように、竜骨４５は、屈曲部４２を挟む。これにより、パネル４０は、竜骨４５に対して着脱可能である。パネル４０は、下面４０Ｌが略水平になるように取り付けられる。複数のパネル４０（複数の下面４０Ｌ）は、略水平な１つの面上に配置される。
【００２７】
図２に一点鎖線で示すように、複数のパネル４０によって開口４４が形成される。開口４４は、竜骨４５に取り付けられたパネル４０に囲まれた領域である。言い換えれば、開口４４は、竜骨４５にパネル４０が取り付けられていない領域に対応する。図２の例では、開口４４は、パネル４０の２枚分の大きさを有する。浴室空調装置１００の本体ケーシング１０及びグリル２０は、この開口４４に嵌め込まれるように配置される。
【００２８】
図４は、実施形態に係る浴室空調装置を例示する断面図である。  
図５は、実施形態に係る浴室空調装置のグリルを例示する斜視図である。この斜視図は、図４においてグリル２０を上方から見た状態に対応する。  
図６は、実施形態に係る浴室空調装置の本体ケーシングを例示する斜視図である。この斜視図は、図４において本体ケーシング１０を下方から見た状態に対応する。
【００２９】
図４に示すように、浴室空調装置１００は、ファン１１、ダンパ１２及びヒータ１３等をさらに有する。ファン１１、ダンパ１２及びヒータ１３は、本体ケーシング１０の内部に設けられる。
【００３０】
図５に示すように、グリル２０は、略矩形の板状であり、図２に関して説明した開口４４に対応した平面形状を有する。グリル２０の大きさは、開口４４の大きさと略同じである。また、グリル２０には、吸気口２１及び吹出口２２が設けられる。
【００３１】
グリル２０は、水平方向と交差する側面ＳＦ１〜ＳＦ４を有する。本体ケーシング１０及びグリル２０が天井Ｆ１に設置された状態において、側面ＳＦ１及び側面ＳＦ２のそれぞれは、竜骨４５が延びる方向ＤＬと交差する方向ＤＳに沿って延在し、側面ＳＦ３及び側面ＳＦ３のそれぞれは、竜骨４５が延びる方向ＤＬに沿って延在する。例えば、側面ＳＦ１及び側面ＳＦ２は、グリル２０の短辺に位置し、側面ＳＦ３及び側面ＳＦ４は、グリル２０の長辺に位置する。なお、方向ＤＳは、例えば、一方の竜骨４５から他方の竜骨４５へ向かう水平方向であり、竜骨４５が延びる方向ＤＬに対して垂直である。
【００３２】
図６に示すように、本体ケーシング１０の下部１０ｂ（下面）は、略矩形状であり、４辺（辺Ｅ１〜Ｅ４）を有する。本体ケーシング１０及びグリル２０が天井Ｆ１に設置された状態において、辺Ｅ１及び辺Ｅ２のそれぞれは、方向ＤＳに沿って延在し、辺Ｅ３及び辺Ｅ４のそれぞれは、方向ＤＬに沿って延在する。例えば、辺Ｅ１及び辺Ｅ２は短辺であり、辺Ｅ３及び辺Ｅ４は長辺である。
【００３３】
また、下部１０ｂには、これら４辺に囲まれた開口が形成されている。本体ケーシング１０は、ファン１１、ダンパ１２及びヒータ１３等の上方や側方を囲み、グリル２０は、本体ケーシング１０の下方を覆うように取り付けられる。また、本体ケーシング１０は、換気口１４を有する。
【００３４】
ファン１１が回転することにより、浴室内の空気は、吸気口２１から本体ケーシング１０の内部に吸い込まれ、ダンパ１２へ送られる。ダンパ１２が回動することにより、ファン１１から送られた空気の経路が変更される。ダンパ１２は、ファン１１から送られた空気を、吹出口２２、換気口１４、または、吹出口２２及び換気口１４の両方に送ることができる。
【００３５】
換気口１４へ送られた空気は、換気口１４に接続されたダクトを介して、浴室ＢＲの外へ排出される。吹出口２２へ送られた空気は、ヒータ１３を通過し、吹出口２２から浴室ＢＲ内へ吹き出される。ヒータ１３は、通電によりヒータ１３を通る空気を温めることができる。
【００３６】
固定金具３０は、浴室ＢＲの天井Ｆ１に設けられる。具体的には、図１に示すように浴室の天井Ｆ１には、建物（スラブ等）に固定された吊りボルト７０が設けられる。固定金具３０は、ナット等で吊りボルト７０に取り付けられることで、天井Ｆ１において間接的に固定される。
【００３７】
固定金具３０は、方向ＤＳに沿って延び、その両端において、吊りボルト７０により支持される。また、２つの固定金具３０が、本体ケーシング１０の短辺側に設けられる。すなわち、辺Ｅ１を形成する本体ケーシング１０の縁部、及び、辺Ｅ２を形成する本体ケーシング１０の縁部、のそれぞれに、固定金具３０が固定される。
【００３８】
図２に示す固定部材３５は、本体ケーシング１０を固定金具３０に固定する。これにより、固定金具３０は、天井Ｆ１における所定の位置に本体ケーシング１０を支持する。固定部材３５は、例えば、ネジやボルトである。１つの固定金具３０は、例えば２つのネジ（固定部材３５）によって本体ケーシング１０に固定される。
【００３９】
図７（ａ）及び図７（ｂ）は、実施形態に係る浴室空調装置を例示する斜視図である。図７（ｂ）は、天井Ｆ１への取付作業が終了した状態の浴室空調装置１００を下方から見た状態を表す。図７（ａ）は、図７（ｂ）の状態から、パネル４０の１つ（パネル４０ａ）を取り外した状態を表す。
【００４０】
図７（ｂ）に示すように、浴室空調装置１００は、グリル２０の下面２０Ｌが、複数のパネル４０の下面４０Ｌと面一、または、複数のパネル４０の下面４０Ｌよりも上方に位置するように、天井Ｆ１に取り付けられる。なお、「面一」という範囲には、下面２０Ｌと下面４０Ｌとの間に生じる段差が例えば２ｍｍ以下の状態を含んでもよい。
【００４１】
図７（ａ）に示すように、実施形態に係る浴室空調装置１００は、グリル２０を本体ケーシング１０に固定する固定部３２をさらに有する。固定部３２は、例えばネジであり、グリル２０及び本体ケーシング１０に固定される。
【００４２】
固定部３２は、複数のパネル４０の下面４０Ｌよりも上方に位置する。図７（ｂ）のように浴室空調装置１００及び複数のパネル４０が天井Ｆ１に設置された状態において、固定部３２は、複数のパネル４０により隠蔽される。すなわち、浴室ＢＲの内部から固定部３２は、視認されない。
【００４３】
一般に、浴室は湿気の多い空間であるため、固定部３２が浴室側に露出していると、固定部３２が錆などによって劣化してしまうことがある。また、錆によって見栄えが悪くなり、意匠性が低下する。これに対して、実施形態によれば、固定部３２は隠蔽されているため、湿気空間にさらされない。これにより、湿気による固定部３２の劣化を抑制しつつ、意匠性を向上させることができる。
【００４４】
例えば、固定部を隠蔽するキャップなどの部材を別途設ける方法も考えられる。しかし、この場合には、キャップを取り付ける手間が生じる。また、キャップの製造にコストがかかる。これに対して、実施形態によれば、固定部３２を隠蔽するための部材を別に設けなくてもよいため、施工が容易であり、コストを低減することができる。さらに、キャップ等の浴室ＢＲへの落下や、キャップ等の紛失もないため、経年的に意匠性が損なわれる心配もない。
【００４５】
なお、実施形態において固定部３２は、ネジに限られず、ボルトやスナップフィットなど任意の固定手段を用いることができる。以下では、固定部３２がネジである場合について説明する。
【００４６】
図７（ａ）に示すように、固定部３２は、側面ＳＦ１に設けられる。この例では、側面ＳＦ１の両端部に、固定部３２が１つずつ固定される。
【００４７】
固定部３２を、竜骨４５に沿って延在する側面ＳＦ３や側面ＳＦ４に設けることも可能である。ただし、側面ＳＦ３や側面ＳＦ４は、竜骨４５に近接しているため、施工の際に竜骨が邪魔になる場合がある。固定部３２を側面ＳＦ１に設けることにより、グリル２０を本体ケーシング１０に取り付ける際、竜骨が邪魔にならない。これにより、施工性を向上させることができる。
【００４８】
図８は、実施形態に係る浴室空調装置の一部を例示する断面図である。  
この断面図は、図７（ｂ）に示した状態において、固定部３２の近傍を拡大して表している。  
固定部３２（ネジ）は、一方向に延在する軸部３２ａと、軸部３２ａの一端に設けられた頭部３２ｂとを有する。なお、頭部３２ｂの径は、軸部３２ａの径よりも大きい。また、軸部３２ａのうち、頭部３２ｂとは反対側の端部を先端３２ｃという。
【００４９】
グリル２０及び本体ケーシング１０には、固定部３２が挿入される固定穴１５ｐが設けられている。より具体的には、グリル２０は固定穴２０ｐを有し、本体ケーシング１０は固定穴１０ｐを有する。グリル２０の固定穴２０ｐは、図５に示すように、側面ＳＦ１側の両端部に設けられる。本体ケーシング１０の固定穴１０ｐは、図６に示すように、辺Ｅ１の両端から突出した部分１５の先端部に設けられる。
【００５０】
固定部３２の軸部３２ａは、固定穴２０ｐを通って、固定穴１０ｐに挿入される。これにより、固定部３２は、グリル２０及び本体ケーシング１０に固定される。また、グリル２０は、本体ケーシング１０に固定される。
【００５１】
固定部３２が固定穴１５ｐに挿入される方向Ｄｐに沿って見たときに、固定部３２の頭部３２ｂの少なくとも一部は、複数のパネル４０の一部と重なる。言い換えると、頭部３２ｂの抜方向の投影面は、複数のパネル４０の一部にかかる。図８に示す例では、頭部３２ｂは、パネル４０の屈曲部４２と重なっている。これにより、固定穴１５ｐは、水平方向よりも下方、すなわち浴室ＢＲ側を向く。
【００５２】
固定部３２がネジの場合、グリル２０を本体ケーシング１０に取り付けるためには、グリルの固定穴２０ｐと、本体ケーシング１０の固定穴１０ｐとを略一致させた状態で、これらの固定穴にネジを挿入する。一方で、固定部３２は、パネル４０よりも上方の位置に固定されるため、固定部３２の取り付け作業は、暗所での作業となる。そのため、グリル２０の固定穴２０ｐと本体ケーシング１０の固定穴１０ｐとを一致させることが困難な場合がある。
【００５３】
これに対して、実施形態によれば、固定穴１５ｐは浴室ＢＲ側を向いているため、施工者は、固定部３２を取り付ける際、固定穴を視認しやすく、グリル２０の固定穴２０ｐと本体ケーシング１０の固定穴１０ｐとを一致させやすい。したがって、固定部３２をより容易に取り付けることができる。
【００５４】
また、図８のように固定部３２が固定された状態においては、頭部３２ｂがグリル２０に当接するまで、軸部３２ａが固定穴１０ｐ及び２０ｐに挿入されている。この状態において、頭部３２ｂと複数のパネル４０との間の方向Ｄｐに沿った距離Ｄ５は、固定部３２の着脱に要するストローク（距離Ｄ６）よりも短い。ここで、「固定部３２の着脱に要するストローク」とは、図８に示す状態において、軸部３２ａのうち固定穴１０ｐに挿入された部分の方向Ｄｐに沿った長さをいう。
【００５５】
距離Ｄ５が距離Ｄ６よりも短いことにより、例えば固定部３２（ネジ）が緩んだ場合に、固定部３２は固定穴１０ｐから抜ける前にパネル４０に当接する。これにより、固定部３２が抜け落ちてしまうことを抑制できる。
【００５６】
また、固定部３２が固定された状態において、頭部３２ｂから先端３２ｃへ向かう方向は、本体ケーシング１０の外周側から内周側へ向かい、かつ、上方へ向かう方向である。すなわち、固定部３２は、上方に傾斜した状態で固定される。これにより、浴室ＢＲ側から固定部３２を固定しやすく、施工性を向上させることができる。
【００５７】
図９は、実施形態に係る浴室空調装置を例示する側面図である。  
図９は、天井Ｆ１に対して固定された本体ケーシング１０にグリル２０を取り付ける様子を例示している。図９に示すように、グリル２０は、仮固定部２６と、回動部２４と、を有する。
【００５８】
仮固定部２６は、グリル２０の上面２０Ｕに設けられる。仮固定部２６は、グリル２０を本体ケーシング１０に仮固定する。例えば、仮固定部２６は、樹脂などの弾性部材により形成されたフックである。また、本体ケーシング１０の下面には、仮固定部２６に対応する被仮固定部１８が設けられる。被仮固定部１８は、図６に示すように、辺Ｅ１を形成する本体ケーシング１０の縁部から下方へ突出したフックである。
【００５９】
回動部２４は、例えば、グリル２０の上面から上方に突出したフックである。回動部２４は、グリル２０の中央（例えば長手方向における中央Ｃｔ）から見たときに、固定部３２及び仮固定部２６とは反対側に設けられる。より具体的には、図５に示すように、側面ＳＦ２側の端部に２つの回動部２４が設けられる。また、本体ケーシング１０には、回動部２４に対応する係合部１７が設けられる。係合部１７は、図６に示すように、辺Ｅ２の両端から突出した部分１６の先端部に設けられる。
【００６０】
図９に示すように回動部２４は、係合部１７と係合し、グリル２０を軸支する。これにより、グリル２０は、回動部２４を通る回転軸Ａｘを中心に回動可能である。回転軸Ａｘは、例えば竜骨４５が延びる方向に対して垂直である。
【００６１】
グリル２０を本体ケーシング１０に取り付ける際には、図９に示す矢印Ａ１のようにグリル２０を回動させ、上方に押し込む。これにより、仮固定部２６と被仮固定部１８とを係合させ、グリル２０を本体ケーシング１０に仮固定する。
【００６２】
図１０は、実施形態に係る浴室空調装置の一部を例示する側面図である。  
図１０は、仮固定部２６及び被仮固定部１８の近傍を拡大して表す。  
図１０においては、固定部３２によってグリル２０が本体ケーシング１０に固定された状態を実線で表す。また、グリル２０が仮固定された状態（固定部３２によってグリル２０が本体ケーシング１０に固定されておらず、仮固定部２６及び被仮固定部１８がグリル２０の少なくとも一部を支持する状態）におけるグリル２０を破線で表す。
【００６３】
グリル２０が仮固定された状態における仮固定部２６の位置は、グリル２０固定された状態における仮固定部２６の位置よりも下方である。
【００６４】
図１１は、実施形態に係る浴室空調装置を例示する斜視図である。  
図１１は、グリル２０が仮固定された状態における浴室空調装置１００を下方から見た様子を表す。  
図１１に示すように、グリル２０と、開口４４の縁４４Ｅとの間には、隙間Ｇ１が形成される。例えば、グリル２０の下面２０Ｌの一部は、パネル４０の下面４０Ｌからグリル２０の厚み以上、下方に位置する。
【００６５】
施工者は、隙間Ｇ１によって、グリル２０が固定部によって固定された状態であるか、仮固定の状態であるか、を容易に視認することができる。
【００６６】
また、施工者は、固定部３２を固定する際に、仮固定部２６によりグリル２０を仮固定することができるため、グリル２０を所定の位置に支持しなくてもよい。これにより、施工性を向上させることができる。
【００６７】
図１２（ａ）及び図１２（ｂ）は、実施形態に係る浴室空調装置を例示する側面図である。  
図１２（ｂ）は、図１２（ａ）に示すヒータ１３の近傍の領域Ｒ３を拡大して表す。  
ヒータ１３によって温められた空気は、図１２（ｂ）に示す本体ケーシング１０の下部に設けられた開口１０ａ（ヒータ１３の出口）から下方のグリル２０の吹出口２２へ送られ、吹出口２２から浴室ＢＲ内へ送られる。
【００６８】
本体ケーシング１０には、下方へ突出したリブ１０ｒが、開口１０ａの周囲を囲むように設けられている。また、グリル２０には、上方へ突出したリブ２０ｒが、リブ１０ｒ及び吹出口２２の周囲を囲むように設けられている。例えば、リブ１０ｒの平面形状（水平面に投影したときの形状）は、開口１０ａの全外周を囲む環状である。また、例えば、リブ２０ｒの平面形状は、リブ１０ｒの全外周を囲む環状である。
【００６９】
グリル２０が本体ケーシング１０に固定された状態においても、仮固定された状態においても、リブ１０ｒは開口１０ａと水平方向において重なり、リブ２０ｒはリブ１０ｒと水平方向において重なる。すなわち、リブ１０ｒとリブ２０ｒとは、グリル２０が本体ケーシング１０に固定された状態においても仮固定された状態においても、いわゆるラビリンス構造を形成する。
【００７０】
開口１０ａから下方へ送られた空気が吹出口２２から吹き出されずに、グリル２０の上面を流れてファン１１に吸い込まれた場合、温度が高い空気が、すぐにヒータ１３によって再び加熱されることとなる。そのため、空気が過度に加熱され、温風の熱によってグリル２０の上面が溶けるなどの不具合が生じる恐れがある。
【００７１】
これに対して、実施形態によれば、グリル２０が本体ケーシング１０に固定された状態においても仮固定された状態においても、ラビリンス構造が形成されている。これにより、ヒータ１３によって加熱された空気は、吹出口２２から吹き出されるため、過度な加熱を抑制することができる。
【００７２】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、本体ケーシング１０、グリル２０、固定部３２などが備える各要素の形状、寸法、材質、配置、設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００７３】
１０ 本体ケーシング、  １０ａ 開口、  １０ｂ 下部、  １０ｐ 固定穴、  １０ｒ リブ、  １１ ファン、  １２ ダンパ、  １３ ヒータ、  １４ 換気口、  １５ 部分、  １５ｐ 固定穴、  １６ 部分、  １７ 係合部、  １８ 被仮固定部、  ２０ グリル、  ２０Ｌ 下面、  ２０Ｕ 上面、  ２０ｐ 固定穴、  ２０ｒ リブ、  ２１ 吸気口、  ２２ 吹出口、  ２４ 回動部、  ２６ 仮固定部、  ３０ 固定金具、  ３２ 固定部、  ３２ａ 軸部、  ３２ｂ 頭部、  ３２ｃ 先端、  ３５ 固定部材、  ４０ パネル、  ４０Ｌ 下面、  ４１ 板状部、  ４２ 屈曲部、  ４４ 開口、  ４４Ｅ 縁、  ４５ 竜骨、  ７０ 吊りボルト、  １００ 浴室空調装置
【図１】
2018119768.tif 000003
【図２】
2018119768.tif 000004
【図３】
2018119768.tif 000005
【図４】
2018119768.tif 000006
【図５】
2018119768.tif 000007
【図６】
2018119768.tif 000008
【図７】
2018119768.tif 000009
【図８】
2018119768.tif 000010
【図９】
2018119768.tif 000011
【図１０】
2018119768.tif 000012
【図１１】
2018119768.tif 000013
【図１２】
2018119768.tif 000014